(57)【要約】【課題】制動特性の選択を安定して行うことが可能な取扱いが容易で作業性に優れた魚釣用スピニングリールを提供すること。【解決手段】スプール３０の前部の開口凹部３６に、ライニング材５２を介在させたスプール側摩擦板５０と支軸側摩擦板４８とを有する摩擦結合装置４２を配置し、支軸２２に沿って押圧板４４を移動することで、ライニング材５２を介するスプール側摩擦板５０と支軸側摩擦板４８との間の圧接力を変更し、スプール３０の回転方向の摩擦結合力を調整可能とした魚釣用スピニングリール１０であって、スプール側摩擦板５０から軸方向に沿って耳部５１を延出し、この耳部５１に係合してスプール側摩擦板５０を変位する位置と、係合を解除する位置との間で変位可能な切換部材５４をスプール３０に設け、切換部材５４を操作することにより、スプール側摩擦板５０と支軸側摩擦板４８との間の圧接状態を変化させる魚釣用スピニングリール。【選択図】    図２
2008011772.tif 000002
【特許請求の範囲】
【請求項１】
釣糸を巻回するスプールの前部に設けられる開口凹部に、スプールに回り止めされるスプール側摩擦板と、スプールを回転可能に支持する支軸に回り止めされる支軸側摩擦板と、これらのスプール側摩擦板と支軸側摩擦板との間に介在されるライニング材とを有する摩擦結合装置を配置し、支軸の前端に螺合される調節体をこの支軸に沿って移動することで、前記ライニング材を介するスプール側摩擦板と支軸側摩擦板との間の圧接力を変更し、支軸に対するスプールの回転方向の摩擦結合力を調整可能とした魚釣用スピニングリールであって、
前記スプール側摩擦板の外周縁部から軸方向に沿って作動突部を延出し、この作動突部に係合してスプール側摩擦板を軸方向に変位する位置と、この作動突部との係合を解除してスプール側摩擦板を元の位置に復帰させる位置との間で変位可能な切換部材を前記スプールに設け、この切換部材を操作することにより、前記スプール側摩擦板の支軸側摩擦板に対する圧接状態を変化させることを特徴とする魚釣用スピニングリール。
【発明の詳細な説明】
【技術分野】
【０００１】
本発明は、釣糸が巻回されるスプールの回転に抵抗力を付与するドラグ装置を備えた魚釣用スピニングリールに関する。
【背景技術】
【０００２】
一般に、魚釣用スピニングリールのドラグ装置には、釣り対象魚あるいは釣法等によって、スプールの回転に対して強い制動力、粘りが必要とされる場合や、強い制動力は必要としないが滑らかな滑り出しと釣糸張力の変動の少ない制動力が必要とされる場合がある。このような状況に対応するために、外部操作によって強制動状態と弱制動状態とに切換え可能とし、ドラグ性能の異なる複数の魚釣用リールを用意する不便さを解消した魚釣用スピニングリールが開発されている（例えば特許文献１参照）。
【０００３】
この従来の魚釣用スピニングリールは、スプールとスプール側摩擦板とを互いに対応する位置に形成した係止溝に嵌合するピンで回り止めし、このスプールを回転自在に支える支軸と支軸側摩擦板とを互いに対応する位置に形成した係止溝に嵌合するピンで回り止めし、これらのスプール側摩擦板と支軸側摩擦板とを、スプールに対して、支軸に回り止めされた押圧板で押圧することにより強制動モードで摩擦結合力を形成する。そして、スプール側摩擦板と支軸側摩擦板との少なくとも一方のピンを抜出して回り止めを解除することにより、弱制動モードに切換えることができる。
【特許文献１】特開２００４−２９００６３
【発明の開示】
【発明が解決しようとする課題】
【０００４】
しかし、この従来の魚釣用スピニングリールは、スプールおよび支軸に対するスプール側摩擦板および支軸側摩擦板を、ピンの嵌合および抜出し操作により、回り止めおよび回り止め解除するため、これらのピンを嵌合する係止溝のそれぞれを対応する係止溝に位置合わせする面倒な作業を必要とし、作業性が悪い。また、回り止め部が磨耗あるいは損傷し易く、ピンを紛失し易く、部品点数も多くなり、取扱いが不便である。
【０００５】
本発明は、このような事情に基づいてなされたもので、回り止め部の磨耗、損傷等が解消され、制動特性の選択を安定して行うことが可能な取扱いが容易で作業性に優れた魚釣用スピニングリールを提供することを目的とする。
【課題を解決するための手段】
【０００６】
上記目的を達成するため、本発明によると、釣糸を巻回するスプールの前部に設けられる開口凹部に、スプールに回り止めされるスプール側摩擦板と、スプールを回転可能に支持する支軸に回り止めされる支軸側摩擦板と、これらのスプール側摩擦板と支軸側摩擦板との間に介在されるライニング材とを有する摩擦結合装置を配置し、支軸の前端に螺合される調節体をこの支軸に沿って移動することで、前記ライニング材を介するスプール側摩擦板と支軸側摩擦板との間の圧接力を変更し、支軸に対するスプールの回転方向の摩擦結合力を調整可能とした魚釣用スピニングリールであって、前記スプール側摩擦板の外周縁部から軸方向に沿って作動突部を延出し、この作動突部に係合してスプール側摩擦板を軸方向に変位する位置と、この作動突部との係合を解除してスプール側摩擦板を元の位置に復帰させる位置との間で変位可能な切換部材を前記スプールに設け、この切換部材を操作することにより、前記スプール側摩擦板の支軸側摩擦板に対する圧接状態を変化させる魚釣用スピニングリールが提供される。
【発明の効果】
【０００７】
本発明の魚釣用スピニングリールは、スプールに設けた切換部材を操作してスプール側摩擦板を軸方向に変位させることにより、スプール側摩擦板の支軸側摩擦板に対する圧接状態を変化させ、強制動モードと弱制動モードとに切換えるため、従来の魚釣用スピニングリールのように面倒な位置決め作業を必要とせず、回り止め部の磨耗、損傷等が解消され、制動特性の選択を安定して行うことができる。
【発明を実施するための最良の形態】
【０００８】
図１から図５は、本発明の好ましい実施形態による魚釣用スピニングリール１０を示す。
【０００９】
図１に示すように、魚釣用スピニングリール１０は、剛性構造のリールボディの一側に固定される着脱可能の蓋体（図示しない）でその内部空間を閉じたリール本体１２を有し、リール本体１２から延出する脚部１２ａの端部に形成された竿取付部１２ｂを介して図示しない釣竿に取り付けられる。このリール本体１２内にはハンドル軸１４が回転可能に支持されており、リール本体１２から突出するハンドル軸１４の端部には、先端に摘み１５ａを有するハンドル１５が固定される。
【００１０】
ハンドル軸１４のリール本体１２内に配置される部位には、図示しないドライブギアが取り付けられており、このドライブギアに、ハンドル軸１４に対して直交する方向に延在し且つ軸受けを介してリール本体１２内に回転可能に支持された円筒状構造のピニオンギア（図示しない)が噛合する。このピニオンギアの先端部には、ベール１６および釣糸案内装置１８を一対の腕部２０ａに先端側に備えたロータ２０が一体的に取り付けられ、このロータ２０の中央部から前方に突出する前筒部２０ｂに、ピニオンギアの先端側が収容される。
【００１１】
また、このピニオンギア内には、支軸（スプール軸）２２が摺動可能に支持されており、上述のドライブギアを介してハンドル軸１４で作動されるオシレーティング機構（図示しない）により、支軸２２の軸方向に沿って一定のストロークで往復駆動することができる。この支軸２２の先端部には、後端にフランジ部２４ａを有する円筒状の支持部材２４がピン２６で回り止めされかつ軸方向に移動不能に取付けられ、この支持部材２４に例えば係止リングで抜け止めされた軸受２８を介して、釣糸が巻回されるスプール３０が着脱可能に取付けられる。このスプール３０は、支軸２２と共にこのハンドル軸１４と直交する方向に往復動することができる。
【００１２】
したがって、この魚釣用スピニングリール１０は、ハンドル１５を回転操作してハンドル軸１４を回転させると、オシレーティング機構および支軸２２を介してスプール３０が前後に一定ストロークで往復動するとともに、ドライブギアおよびピニオンギアを介してロータ２０が回転する。これにより、ロータ２０に設けられた釣糸案内装置１８を介して、スプール３０に釣糸が均等に巻回される。
【００１３】
図２に示すように、このスプール３０は、釣糸が巻回される胴部３０ａを外周部に凹設し、この胴部３０ａの前端側に鍔部３０ｂを配置し、後端側に、ロータ２０の前筒部２０ａを収容するスカート部３０ｃを配置した筒状構造に形成してある。また、この胴部３０ａの軸方向のほぼ中央部の内側には、上述の支持部材２４および軸受２８を介して支軸２２に装着するための中央貫通孔３２を軸心と同心状に配置した支持壁３４を一体に形成してある。この支持壁３４の中央貫通孔３２を、支持部材２４に装着された軸受３０上に取付けられる。この支持壁３４の前部に、前方に開口する開口凹部３６が設けられる。
【００１４】
本実施形態の魚釣用スピニングリール１０には、フロントドラグ方式のドラグ装置３８を設けてあり、スプール３０に制動力を付与しながらスプール３０の釣糸繰り出し方向への回転を許容する（スプール３０の回転力を制御する）。このドラグ装置３８は、支軸２２の先端に螺合されるドラグ調節ツマミ４０と、スプール３０の開口凹部３６内に配置した摩擦結合装置４２と、この摩擦結合装置４２をスプール３０の支持壁３４を介して支持部材２４のフランジ部２４ａに押圧する押圧板４４とを備える。この押圧板４４は、支持部材２４の前端側の外周部に回り止めされかつこの支持部材２４上を軸方向に移動可能に装着してある。本実施形態では、押圧板４４は、スプール３０に回り止めされた摩擦結合装置４２を介してフランジ部２４ａとの間で、スプール３０の支持壁３４を挟み込み、支持部材２４および支軸２２に対するスプール３０の摩擦結合力を形成する。
【００１５】
この摩擦結合装置４２に対する押圧板４４は、摩擦結合装置４２の摩擦結合力を調節する調節体として機能し、ドラグ調節ツマミ４０と押圧板４４との間に配置した圧縮バネ４６の付勢力で形成され、この押圧力はドラグ調節ツマミ４０で調節することができる。すなわち、ドラグ調節ツマミ４０を支軸２２に捩じ込むと、この捩じ込み量に応じたバネ４６の押圧力で、スプール３０が支持部材２４のフランジ部２４ａに押圧され、支軸２２に対するスプール３０の回転が規制される。逆に、ドラグ調節ツマミ４０を緩めると、その緩め具合に応じて、スプール３０の制動抵抗すなわち摩擦結合力が低下し、支軸２２に対して回転し易くなる。
【００１６】
本実施形態の摩擦結合装置４２は、内周部を支持部材２４に回り止め嵌合された金属製の支軸側摩擦板４８と、外周部をスプール３０に回り止めされたスプール側摩擦板５０とを有する多板構造に形成されている。支軸側摩擦板４８およびスプール側摩擦板５０をそれぞれ２枚以上設けてもよく、これらの支軸側摩擦板４８とスプール側摩擦板５０とを交互に配置し、互いに対向する摩擦係合面間には、例えば０．５〜１．５ｍｍ程度の厚さのライニング材５２を介挿してある。これらの摩擦係合面間に介挿したライニング材５２は、対向する摩擦係合面の一方に接着固定してもよく、あるいは、いずれの摩擦係合面にも固定することなく、ライニング材５２のみを交換可能としてもよい。
【００１７】
この支持部材２４と支軸側摩擦板４８との間の回り止めは、支軸側摩擦板４８の中央部に形成した装着孔を、支持部材２４の外周面の非円形形状（図示しない）に対応した非円形形状に形成し、支持部材２４の非円形形状の外周面に、支軸側摩擦板４８の非円形形状の装着孔を嵌合することにより、行うことができる。
【００１８】
また、図２および図３に示すように、このスプール側摩擦板５０とスプール３０との間の回り止めは、スプール側摩擦板５０の外周縁部から後方に向けて軸方向に本実施形態では４本の作動突部である耳部５１を延出し、これらの耳部５１に対応した位置で、スプール３０の支持壁３４の胴部３０ａの軸方向に貫通させて形成した係止孔３５に、これらの耳部５１を挿通することにより、このスプール側摩擦板５０をスプール３０に回り止めしている。
【００１９】
これらの耳部５１は、スプール側摩擦板５０が支軸側摩擦板４８および２枚のライニング材５２と共に支持壁３４に押圧されたときに、後端部５１ａがスカート部３０ｃ内に僅かに突出する長さに形成してある。また、スカート部３０ｃ内には、胴部３０ａとの間に形成される段部３１に、耳部５１の後端部５１ａを介してスプール側摩擦板５０を前方、すなわち支持壁３４から離隔する方向に移動することができる切換部材５４を固定部材であるネジ５６により回動可能に取付けてある。
【００２０】
図２および図３に示すように、本実施形態の切換部材５４は、矩形の板状形状を有し、先端部が段部３１から半径方向内方に突出する位置と、図４に示すように、切換部材５４の先端部が段部３１内に配置される位置との間を移動することができる。図２および図３に示すように、切換部座５４の先端部が段部３１から半径方向内方に突出した位置では、耳部５１の後端部５１ａが切換部材５４の先端部で係止され、スカート部３０ｃ内に突出することができない。これにより、スプール側摩擦板５０と、支軸側摩擦板４８あるいはライニング材５２との間には、例えば１ｍｍ〜２ｍｍ程度の間隙ｄが形成される。
【００２１】
なお、間隙ｄは、圧接状態を変化させる一例に過ぎず、スプール側摩擦板５０のスプール３０の支持壁３４側への軸方向位置を規制するものであれば良い。この間隙ｄは例えばゼロ（０）でもよく、また、多少スプール側摩擦板５０がライニング材５２に接触する程度で軸方向規制するようにしても良く、適宜設定されるのである。
【００２２】
スプール側摩擦板５０は、支持部材２４を介して支軸２２に回り止めされた押圧板４４からライニング材５２を介して押圧される押圧力を支え、押圧板４４とスプール側摩擦板５０との間に摩擦係合面を形成する。支軸側摩擦板４８あるいはこの間に介挿されるライニング材５２との間には、上述の間隙ｄが形成されるため、スプール側摩擦板５０と支持側摩擦板４８との間、および、支軸側摩擦板４８と支持壁３４との間には摩擦係合面が形成されない。これにより、摩擦結合装置４２は、支軸２２とスプール３０との間で一対の摩擦係合面を形成し、これにより、滑らかな滑り出しと釣糸張力の変動が少ない弱制動モードで作用することができる。
【００２３】
一方、図４に示すように、ネジ５６を中心として切換部材５４を回動し、切換部材５４の先端部を段部３１内に引き込むと、押圧板４４を介してバネ４６の付勢力で押圧され、耳部５１の後端部は切換部材５４で邪魔されることなくスカート部３０ｃ内に突出することができる。これにより、スプール側摩擦板５０は、押圧板４４で押圧されて支持壁３４側に移動し、図５に示すように間隙ｄが消滅する。押圧板４４とスプール側摩擦板５０との間、スプール側摩擦板と支軸側摩擦板４８との間、および、支軸側摩擦板４８と支持壁３４との間のそれぞれに摩擦係合面が形成され、したがって、摩擦結合装置４２は、支軸２２とスプール３０との間に三対の摩擦係合面を形成し、これにより、強い制動力・粘りを形成する強制動モードで作用することができる。
【００２４】
これらの強制動モードと弱制動モードとの切換えは、ドラグ調整ツマミ４０を支軸２２の先端から取外し、摩擦結合装置４２と共にスプール３０を支軸２２および支持部材２４から抜出した後、行うことができる。スプール３０の段部３１は、スカート部３０ｃの後方開口部から容易に近接することができ、極めて簡単に切換部材５４の切換操作を行うことができる。これらの切換部材５４は、本実施形態では４つの耳部５１のそれぞれに設けることも可能であるが、図３に示すように、径方向に対向する２つの耳部５１にのみ、切換部材５４を設けてもよい。
【００２５】
更に、これらの強制動モードおよび弱制動モードのいずれにおいても、ドラグ調節ツマミ４０を回転して軸方向位置を調整することにおり、バネ４６の付勢力を調整することにより、ドラグ力更にを調整することが可能である。
【００２６】
上述の魚釣用スピニングリール１０は、スプール３０の胴部３０ａとスカート部３０ｃとの間の段部３１に設けた切換部材５４を回動操作してスプール側摩擦板５０を軸方向に変位させることにより、スプール側摩擦板５０の支軸側摩擦板４８に対する圧接状態を変化させ、図５に示すように三対の摩擦係合面を形成する強制動モードと、図２に示すように一対の摩擦係合面を形成する弱制動モードとに切換えることができる。切換部材５４がスプール３０の段部３１に設けられ、この切換部材５４が係合および係合解除する耳部５１はスプール３０に対して移動しないため、従来の魚釣用スピニングリールのように面倒な位置決め作業を必要としない。また、スプール側摩擦部材５０の回り止めを行う耳部５１と支持壁の係止孔３５とは、常に係合しており、切換えの都度、別個の部材の取付けおよび取外しが不要であるから磨耗、損傷等が解消され、制動特性の選択を安定して行うことができる。しかも、切換部材５４の切換え操作に際して、別個に部品を追加し、あるいは取外す必要がないため、このような別部材の紛失という問題も生じることはない。
【００２７】
図６から図９は、変形例による魚釣用スピニングリールのスプール３０の内部構造を示す。なお、以下に説明する種々の実施形態あるいは変形例は、基本的には上述の実施形態と同様であるため、同様な部位には同様な符号を付し、その詳細な説明を省略する。
【００２８】
図６から図９に示す変形例では、スプール側摩擦板５０の支軸側摩擦板４８に対する圧接状態を切換える切換部材５４Ａが、段部３１の内面を摺動して、図６および図７に示す弱制動モードと図８および図９に示す強制動モードとに切換えることができる。
【００２９】
この切換部材５４Ａは、ネジ５６で案内される長孔５８を有し、内周側の縁部からスプール３０の胴部３０ａ内に脚部６０が支持壁３４に向けて延びる。一方、スプール側摩擦板５０の耳部５１の後端部５１ａは切換部材５４Ａの脚部６０よりも幅広に形成してあり、切換部材５４Ａが移動するときに、この脚部６０を案内する傾斜面６２と、この脚部６０で支えられる端面６４とを形成してある。なお、切換部材５４Ａの脚部６０にも、耳部５１の端部５１ａの傾斜面６２に対応した傾斜面（図示しない）を設けてもよい。また、このような切換部材５４Ａは、図示のように一つだけでなく、必要に応じて複数箇所に設けてもよい。
【００３０】
この変形例では、ネジ５６を緩めて切換部材５４Ａを図６および図７に示す位置から、図８および図９に示す位置に移動することにより、スプール側摩擦板５０と、支軸側摩擦板４８あるいはライニング材５２との間に隙間ｄが形成される弱制動モードから、隙間ｄが消滅する強制動モードに切換えられる。耳部５１の端部５１ａに形成した傾斜面６２は、切換部材５４Ａが移動する際、脚部６０に係合して滑らかに案内することができる。
【００３１】
図１０および図１１は、他の変形例を示す。
【００３２】
この変形例の切換部材５４Ｂは、スカート部３０の外周側に突出する操作片６６と、内周側に突出する耳部５１の端部５１ａに係合および係合解除可能な突片６１とを有し、操作片６６をスプール３０の外側から操作し、長孔５９を段部３１に固定されたピン５７で案内されつつ、段部３１の内面に沿って移動することができる。
【００３３】
この切換部材５４Ｂが図１０に実線で示す位置に配置されると、図１１に示すように、突片６１が耳部５１の端部５１ａに係合し、バネ４６の付勢力に抗してスプール側摩擦部材５０を支え、支軸側摩擦板４８あるいはライニング材５２との間に隙間ｄが形成される弱制動モードとする。そして、操作片６６を介して切換部材５４Ｂを操作し、図１０に二点鎖線で示す位置に配置すると、耳部５１の端部５１ａと突片６１との係合が解除され、スプール側摩擦板５０はバネ４６で支持壁３４側に押圧される。これにより、間隙ｄが消滅し、強制動モードに切換えられる。
【００３４】
この変形例では、スプール３０を取外すことなく、外部からの操作により、極めて簡単に強制動モードと弱制動モードとを切換えることができる。
【００３５】
図１２は、更に他の変形例を示す。
【００３６】
この変形例では、切換部材５４Ｃはネジで形成してある。この切換部材５４Ｃは、スプール３０の段部３１に、ネジ６８で固定板７０を固定し、この固定板７０に形成したネジ孔７２に螺合されている。図１２に実線で示す位置まで切換部材５４Ｃを支持壁３４側にねじ込むと、支軸側摩擦板４８あるいはライニング材５２との間に隙間ｄが形成される弱制動モードとなる。一方、この切換部材５４Ｃを支持壁３４から離隔する方向にねじ戻すと、耳部５１と切換部材５４Ｃとの係合が解除され、隙間ｄが消滅し、強制動モードに切換えられる。
【００３７】
この変形例の切換部材５４Ｃは、支持壁３４に達するような比較的長尺のネジで形成してあるが、これとは逆に切換部材５４Ｃを短くし、耳部５１の長さを長くしてもよい。
【００３８】
このような切換部材５４Ｃを備えた魚釣用スピニングリール１０も別個の部材を追加しあるいは取外すことなく、強制動モードと弱制動モードとを極めて簡単に切換えることができ、部品の紛失といった問題を生じることもない。
【００３９】
以上、本発明の好ましい実施形態および変形例について説明してきたが、本発明は上述のものに限るものではなく、様々に組み合わせることも可能である。例えば、切換部材５４Ａ，５４Ｂはスプール３０のように、接線方向に沿う移動に代えて、周方向に移動させることも可能である。この場合には、切換部材５４Ａ，５４Ｂをリング状に形成し、必要位置に脚部６０あるいは突片６１を設けてもよい。また、強制動モードおよび弱制動モードのそれぞれにおける摩擦係合面の対の数も、スプール側摩擦板と支軸側摩擦板との数を調整することにより、適宜に変更することもできる。
【図面の簡単な説明】
【００４０】
【図１】本発明の第１の実施形態による魚釣用スピニングリールの部分断面図。
【図２】図１の魚釣用スピニングリールを弱制動モードに配置したスプールの内部構造を示し、（Ａ）は断面図、（Ｂ）はその一部の拡大図。
【図３】図２の（Ａ）のＩＩＩ−ＩＩＩ線に沿う断面図。
【図４】図３の弱制動モードから強制動モードに切換えた状態を示し、図５のＩＶ−ＩＶ線の方向に沿う説明図。
【図５】図１の魚釣用スピニングリールを強制動モードに配置したスプールの内部構造を示し、（Ａ）は断面図、（Ｂ）はその一部の拡大図。
【図６】変形例による切換部材を弱制動モードに切換えた状態の図４と同様な説明図。
【図７】図６のＶＩＩ−ＶＩＩ線に沿う断面図。
【図８】図６の弱制動モードから強制動モードに切換えた状態の説明図。
【図９】図８のＩＸ−ＩＸ線に沿う断面図。
【図１０】他の変形例による切換部材を弱制動モードに切換えた状態の図４と同様な説明図。
【図１１】図９のＸＩ−ＸＩ線に沿う断面図。
【図１２】更に他の変形例による切換部材を示す図７と同様な断面図。
【符号の説明】
【００４１】
１０…魚釣用スピニングリール、１２…リール本体、２２…支軸、３０…スプール、３６…開口凹部、４２…摩擦結合装置、４４…押圧板（調節体）、４８…支軸側摩擦板、５０…スプール側摩擦板、５１…ライニング材、５１…耳部（作動突部）、５４，５４Ａ，５４Ｂ，５４Ｃ…切換部材。
【図１】
2008011772.tif 000003
【図２】
2008011772.tif 000004
【図３】
2008011772.tif 000005
【図４】
2008011772.tif 000006
【図５】
2008011772.tif 000007
【図６】
2008011772.tif 000008
【図７】
2008011772.tif 000009
【図８】
2008011772.tif 000010
【図９】
2008011772.tif 000011
【図１０】
2008011772.tif 000012
【図１１】
2008011772.tif 000013
【図１２】
2008011772.tif 000014